(57)【特許請求の範囲】
【請求項１】
物体側より像側へ向かって順に、正の屈折力の第１レンズ群、負の屈折力の第２レンズ群、正の屈折力の第３レンズ群、正の屈折力の第４レンズ群を配し、第２レンズ群と第３レンズ群との間に開口絞りを配してなり、各レンズ群が独立に移動してズーミングを行い、望遠端における第１レンズ群と第３レンズ群の位置が、広角端におけるよりも物体側に定められたズームレンズであって、
第１レンズ群は物体側より順に、物体側に凸の負メニスカスレンズ、物体側に凸面を持つ正レンズから成り、
第２レンズ群は物体側より順に、少なくとも一面に非球面を有して物体側面よりも像側面の屈折力が大きい両凹の負レンズ、像側に凹面を有する負レンズ、物体側に凸面を有する正レンズからなり、
第３レンズ群は、物体側から順に、正レンズ、正レンズ、負レンズを配してなり、上記負レンズは、その物体側の正レンズと、物体側に凹の接合面で接合され、
第２レンズ群の広角端における結像倍率：β２ｗ、第２レンズ群の望遠端における結像倍率：β２ｔ、広角端における全系の焦点距離：ｆｗ、望遠端における全系の焦点距離：ｆｔが、条件：
（１）  ０．３  ＜｜（β２ｔ／β２ｗ）／（ｆｔ／ｆｗ）｜＜  ０．８    
を満足することを特徴とするズームレンズ。
【請求項２】
請求項１記載のズームレンズにおいて、
広角端における全系の焦点距離：ｆｗ、第１レンズ群の焦点距離：ｆ１が、条件：
（２）  ５．０  ＜ｆ１／ｆｗ＜  ８．０    
を満足することを特徴とするズームレンズ。
【請求項３】
請求項１または２記載のズームレンズにおいて、  
第２レンズ群の最も物体側に位置する両凹の負レンズが、両面非球面であることを特徴とするズームレンズ。
【請求項４】
請求項３記載のズームレンズにおいて、  
フラウンホーファ線の、ｇ線に対する屈折率：ｎｇ、Ｆ線に対する屈折率：ｎＦ、Ｃ線に対する屈折率：ｎＣにより、次式：  
θｇＦ＝（ｎｇ−ｎＦ）／（ｎＦ−ｎＣ）  
により定義される部分分散比：θｇＦを縦軸、アッベ数：νｄを横軸とする直交２軸の２次元座標上で、基準硝種：Ｋ７の座標点（νｄ＝６０．４９，θｇＦ＝０．５４３６）と基準硝種：Ｆ２の座標点（νｄ＝３６．２６，θｇＦ＝０．５８２８）とを結んだ直線を標準線とし、硝種の部分分散比：θｇＦの、上記２次元座標面上における上記標準線からの上記縦軸方向の離れ量を上記硝種の異常分散性：Δθｇｆとするとき、
第２レンズ群の最も像側に位置する正レンズの材質の、ｄ線に対する屈折率：Ｎ２３と異常分散性：Δθｇｆ２３が、条件：
（３）  ０．０２５＜Δθｇｆ２３  
（４）  １．８＜Ｎ２３    
を満足することを特徴とするズームレンズ。
【請求項５】
請求項１〜４の任意の１に記載のズームレンズにおいて、  
第４レンズ群が、単一の正レンズであって、少なくとも１面が非球面であることを特徴とするズームレンズ。
【請求項６】
請求項１〜５の任意の１に記載のズームレンズにおいて、  
広角端における全系の焦点距離：ｆｗ、望遠端における全系の焦点距離：ｆｔが、条件：
（５）  １１  ＞ｆｔ／ｆｗ＞  ９．０ 
を満足することを特徴とするズームレンズ。
【請求項７】
請求項1〜６の任意の１に記載のズームレンズを、撮影用光学系として有することを特徴とする撮影機能を有する情報装置。
【請求項８】
請求項７記載の情報装置において、 
ズームレンズによる物体像が、撮像素子の受光面上に結像されることを特徴とする撮影機能を有する情報装置。
【請求項９】
請求項７または８記載の情報装置において、
携帯情報端末装置として構成されたことを特徴とする撮影機能を有する情報装置。
【発明の詳細な説明】
【技術分野】
【０００１】
この発明は、ズームレンズおよび撮影機能を有する情報装置に関する。
【背景技術】
【０００２】
近年、普及の著しいデジタルカメラは、さらなる高性能化・小型化が求められ、撮影レンズとして搭載されるズームレンズにも高性能化と小型化の両立が求められている。  
ズームレンズは、小型化の面では、まず使用時のレンズ全長（最も物体側のレンズ面から像面までの距離）を短縮することが必要であり、また各レンズ群の厚みを短縮して収納時の全長を抑えることも小型化を実現する重要な要素である。
【０００３】
ズームレンズの高性能化は、ハイエンドのデジタルカメラへの適用を考えると、少なくとも８００万、好ましくは１０００万画素を超える撮像素子に対応した解像力を全ズーム域にわたって有することが必要である。
【０００４】
さらに、撮影レンズの広画角化を望むユーザも多く、ズームレンズの広角端の半画角は３８度以上であることが望ましい。半画角：３８度は、３５ｍｍ判銀塩カメラ（いわゆるライカ版）換算の焦点距離で２８ｍｍに相当する。
【０００５】
また、大きな変倍比に対する要望も強く、８倍程度の変倍比が常識化しつつあり、更なる高変倍比が求められている。
【０００６】
デジタルカメラ用のズームレンズには多くの種類が考えられるが、５群以上の群構成のものは全レンズ系総厚の短小化が難しく小型化には適さない。
【０００７】
高変倍化や大口径化に適したタイプとして良く知られているものに、物体側より順に、正の焦点距離を持つ第１レンズ群、負の焦点距離を持つ第２レンズ群、正の焦点距離を持つ第３レンズ群、正の焦点距離を持つ第４レンズ群を配したものとして、例えば、特許文献１〜５に記載されたものが知られている。
【０００８】
これらの特許文献に記載された正・負・正・正の４群構成のズームレンズのうちに、３８度以上の半画角、８倍を超える変倍比、８００万画素に対応できる性能を合わせて有するものはない。
【０００９】
例えば、特許文献１に記載されたものは、広角端での半画角：４０度と広画角であるが、変倍比は５倍程度であり、特許文献２に記載されたものは広角端での半画角：略４０度と広角で、変倍比も９倍程度と大きいが、広角端での歪曲収差が１０％以上もあり、性能の面でなお改良の余地なしとしない。
【００１０】
特許文献３は、具体的な実施例として、変倍比：９．５倍程度と高い変倍比のものを開示しているが、広角端での半画角：３２度程度である。
【００１１】
特許文献４、５記載のものは、性能は良好であり広角でもあるが、変倍比の面でなお改良の余地なしとしない。
【００１２】
ズームレンズの小型化を図る一般的な方法として、各レンズ群のパワーを強めて「レンズ枚数を削減する」ことが知られている。しかし、この方法を単純に行うと、諸収差の補正が困難になると共に、各構成レンズ群の偏心感度（レンズが偏心することによる結像性能の劣化度）が高くなり、高い光学性能の維持が困難となりやすい。
【００１３】
この方法を実施しつつ、広画角化を実現しようとすると、軸外光線高さの増大や歪曲収差の増大により「レンズ全系のサイズを抑えながら諸収差の補正を図る」ことがさらに困難となる。
【発明の概要】
【発明が解決しようとする課題】
【００１４】
この発明は上述した事情に鑑み、小型・高性能のデジタルカメラ用のズームレンズとして特に適し、広角端の半画角：３８度以上、９倍を超える変倍比、少なくとも８００万画素を超える撮像素子に対応した解像力を実現可能なズームレンズの実現、さらには、このようなズームレンズを用いる撮像装置の実現を課題とする。
【課題を解決するための手段】
【００１５】
この発明のズームレンズは、物体側より像側へ向かって順に、正の屈折力の第１レンズ群、負の屈折力の第２レンズ群、正の屈折力の第３レンズ群、正の屈折力の第４レンズ群を配し、第２レンズ群と第３レンズ群との間に開口絞りを配してなる。
【００１６】
そして、ズーミングは「各レンズ群が独立に移動」して行なわれる。  
望遠端における第１レンズ群と第３レンズ群の位置は「広角端における位置よりも物体側」に位置する。
【００１７】
「第１レンズ群」は、物体側より順に、物体側に凸の負メニスカスレンズ、物体側に凸面を持つ正レンズの２枚のレンズから成る。  
「第２レンズ群」は、物体側より順に、少なくとも一面に非球面を有して物体側面よりも像側面の屈折力が大きい両凹の負レンズ、像側に凹面を有する負レンズ、物体側に凸面を有する正レンズの３枚からなる。
「第３レンズ群」は、物体側より順に、正レンズ、正レンズ、負レンズの３枚を配してなり、これら３枚のレンズのうち、２枚目の正レンズは３枚目の負レンズと「物体側に凹の接合面」により接合されている。
【００１８】
第２レンズ群の広角端における結像倍率：β２ｗ、第２レンズ群の望遠端における結像倍率：β２ｔ、広角端における全系の焦点距離：ｆｗ、望遠端における全系の焦点距離：ｆｔは、条件：
（１）  ０．３  ＜｜（β２ｔ／β２ｗ）／（ｆｔ／ｆｗ）｜＜  ０．８  
を満足する（請求項１）。
【００１９】
請求項１記載のズームレンズは、広角端における全系の焦点距離：ｆｗ、第１レンズ群の焦点距離：ｆ１が、条件：
（２）  ５．０  ＜ｆ１／ｆｗ＜  ８．０  
を満足することが好ましい（請求項２）。
【００２０】
請求項１または２記載のズームレンズは、第２レンズ群の最も物体側に位置する両凹の負レンズが、両面非球面であることが好ましい（請求項３）。
【００２１】
この請求項３記載のズームレンズにおいては、第２レンズ群の最も像側に位置する正レンズの材質の、ｄ線に対する屈折率：Ｎ２３と異常分散性：Δθｇｆ２３が、条件：
（３）      ０．０２５＜Δθｇｆ２３    
（４）      １．８＜Ｎ２３    
を満足することが好ましい（請求項４）。
【００２２】
ここに、硝材の異常分散性：Δθｇｆは、フラウンホーファ線の、ｇ線に対する屈折率：ｎｇ、Ｆ線に対する屈折率：ｎＦ、Ｃ線に対する屈折率：ｎＣにより、次式：
θｇＦ＝（ｎｇ−ｎＦ）／（ｎＦ−ｎＣ）
により定義される部分分散比：θｇＦを縦軸、アッベ数：νｄを横軸とする直交２軸の２次元座標を考え、この２次元座標上で、基準硝種：Ｋ７の座標点（νｄ＝６０．４９，θｇＦ＝０．５４３６）と基準硝種：Ｆ２の座標点（νｄ＝３６．２６，θｇＦ＝０．５８２８）とを結んだ直線を「標準線」とするとき、硝種の部分分散比：θｇＦの、２次元座標面上における「標準線からの縦軸方向の離れ量」として定義される。
【００２３】
条件（４）における異常分散性：Δθｇｆ２３における「２３」は、第２レンズ群の物体側から第３番目のレンズである正レンズを意味する。
【００２４】
なお、異常分散性は、上記２次元座標において、硝材の部分分散比：θｇＦが基準線より上側（縦軸の＋側）にあるときに「正」、基準線より下側にあるとき「負」とする。
【００２５】
請求項１〜４任意の１に記載のズームレンズにおける第４レンズ群は「単一の正レンズであって、少なくとも１面が非球面」であることが好ましい（請求項５）。
【００２６】
請求項１〜５の任意の１に記載のズームレンズは、広角端における全系の焦点距離：ｆｗ、望遠端における全系の焦点距離：ｆｔが、条件：  
１１  ＞ｆｔ／ｆｗ＞  ９．０    
を満足することができる（請求項６）。
【００２７】
この発明の「撮影機能を有する情報装置」は、請求項1〜６の任意の１に記載のズームレンズを、撮影用光学系として有する情報装置であり（請求項７）、ズームレンズによる物体像が、撮像素子の受光面上に結像される構成とすることができ（請求項８）、具体的には「携帯情報端末装置」として構成されることができる（請求項９）。
【００２８】
説明を補足すると、ズームレンズの小型化・高変倍化・高性能化を図る際には、各レンズ群に適切な屈折力を設定することや、各レンズ群内のレンズ構成を適切に設定する必要がある。
【００２９】
望遠端において、第１レンズ群の位置が「広角端における位置よりも物体側」に位置することで、第２レンズ群にとっての物体となる第１レンズ群の像を、より第２レンズ群に近づけることができ、変倍比の向上に寄与する。  
また、広角端で光学全長を短縮することで「カメラの起動時の鏡胴繰出し時間を短縮」することが可能であり、加えて、望遠端で光学全長を伸ばすことで各レンズ群の偏心による性能劣化を抑制できる。  
第１レンズ群と第２レンズ群が前記のように移動し、第４レンズ群の繰出し量を低減させることを考慮すれば、第３レンズ群の望遠端における位置は、広角端における位置よりも物体側に位置するのが良い。
【００３０】
この発明のズームレンズでは、第２レンズ群が「主変倍群」としての機能を担っており、重要なレンズ群である。
【００３１】
条件（１）は、主変倍群としての第２レンズ群の変倍分担、すなわち、条件（１）のパラメータの分母である変倍比：ｆｔ／ｆｗに対する、望遠端と広角端における第２レンズ群の結像倍率比：β２ｔ／β２ｗの割合を表している。  
条件（１）のパラメータが小さくなることは、第２レンズ群が分担する変倍機能が小さくなることを意味し、条件（１）の下限を超えて上記変倍分担が小さくなりすぎると、高倍率を得るための「他のレンズ群の移動量」が過大となり、レンズ全長が増大し、ズームレンズの小型化を実現するのが困難になる恐れがある。  
逆に、条件（１）の上限を超えて「第２レンズ群の変倍分担」が大きくなりすぎると、第２レンズ群の屈折力が過大となり、組立て精度に対する要求が高くなりすぎる恐れがある。また、変倍に伴う第２レンズ群の移動量が過大となってレンズ全長が増大する恐れがある。
【００３２】
条件（１）のパラメータは、より好ましくは、条件（１）よりも若干狭い、以下の条件（１Ａ）を満足するのが良い。
【００３３】
（１Ａ）  ０．３５  ＜｜（β２ｔ／β２ｗ）／（ｆｔ／ｆｗ）｜＜  ０．５５  。
【００３４】
条件（２）は、第１レンズ群に関する条件であり、広角端における第１レンズ群の全系に対するパワーのバランスを規定する。
【００３５】
条件（２）のパラメータ：ｆ１／ｆｗが、下限値：５．０より小さくなると、第１レンズ群の正のパワーが、相対的に強くなって収差の発生量が過大となり、特に像面湾曲や歪曲収差が大きく発生して各収差の補正が困難になる恐れがある。  
逆に、パラメータ：ｆ１／ｆｗが、上限値：８．０を超えると、第１レンズ群の屈折力が相対的に小さくなり、収差補正上は有利になるが、第１レンズ群の前玉径や「ズームレンズ収納時のサイズ」が大きくなり、コンパクト化が困難となる恐れがある。
【００３６】
請求項３では、第２レンズ群の最も物体側のレンズは「両凹レンズ」であるが、この構成では「全体として負のパワーを持つ第２群の第１面」が物体側に凹面である。
【００３７】
このようにすることで、第２レンズ群内の「高い位置の光線」に対して、より強い負のパワーを作用することが可能となる。
【００３８】
加えて、全体として負のパワーを持つ第２レンズ群中において「各画角の光線が最も分離されている第１面」を物体側に凹面とすることで、第３レンズ群の小径化をより効果的に達することが可能である。
【００３９】
第３レンズ群の小径化が可能となることにより、光学系全体の小容積化や軽量化に直接効果があるのは言うまでも無いが、第３レンズ群を「沈胴収納時に光軸から退避させる群とする場合には、退避先の省スペース化や退避時の低負荷化」にも効果がある。
【００４０】
請求項３ではまた、第２レンズ群の最も物体側に位置する両凹の負レンズが「両面非球面」であるが、このようにすることにより、第２レンズ群内の構成レンズ枚数の削減を可能としている。このように「非球面を１枚のレンズに集約する」ことで、他のレンズに採用する硝種の選択幅が広がり、収差補正上有利となる。
【００４１】
請求項４の構成とすることで、特に、「望遠端で大きくなる倍率色収差と軸上色収差」を良好に補正することが可能となる。  
条件（３）および条件（４）の各パラメータが、これらの条件の下限値を超えると、第２レンズ群の最も像側に位置する正レンズの異常分散性が不足気味となり、望遠端における倍率色収差と軸上色収差の補正が困難となる恐れがある。  
また、条件（４）の下限値を超えると、当該正レンズの正の屈折力を、レンズ面の曲率半径を小さくして維持しなければならず、その結果、当該レンズの肉厚が増加し、ズームレンズ全系の小型化を阻害する恐れがある。
【００４２】
請求項１のように、第３レンズ群を「物体側から順に、正レンズ、正レンズ、負レンズによる３枚構成」とすると、広角端から望遠端への変倍比が８倍を超えるような高変倍率のズームレンズにおいても、ズーム全域で色収差等の収差を良好に補正することが容易となる。
【００４３】
この発明のズームレンズでは、変倍に際して、第１〜第４レンズ群がそれぞれ独立に移動するが、最も像側に位置する第４レンズ群を１枚の正レンズとすることにより、第４レンズ群の移動機構が簡素化され、又、移動エネルギも小さくでき、フォーカス群とすることも可能となる。
【００４４】
また、この１枚の正レンズの少なくとも１面を非球面とすることにより、第１〜第３レンズ群で補正しきれない諸収差を、第４レンズ群の非球面で良好に補正することが可能となる。
【００４５】
請求項６の条件（５）は、ズームレンズの変倍比を規定するものであり、変倍比の範囲は「９倍〜１１倍」である。
【発明の効果】
【００４６】
以上に説明したように、この発明によれば「新規なズームレンズと撮像装置」を実現できる。この発明によれば、後述する具体的な実施例のように「小型で、収差が十分に補正され、少なくとも８００万画素を超える撮像素子に対応可能なズームレンズ」を実現可能である。従って、このようなズームレンズを用いることにより小型で性能良好な「デジタルカメラ等の撮像装置」を実現可能である。
【図面の簡単な説明】
【００４７】
【図１】実施例１のズームレンズのレンズ構成を示す図である。
【図２】実施例１のズームレンズの広角端における収差図である。
【図３】実施例１のズームレンズの中間焦点距離における収差図である。
【図４】実施例１のズームレンズの望遠端における収差図である。
【図５】実施例２のズームレンズのレンズ構成を示す図である。
【図６】実施例２のズームレンズの広角端における収差図である。
【図７】実施例２のズームレンズの中間焦点距離における収差図である。
【図８】実施例２のズームレンズの望遠端における収差図である。
【図９】実施例３のズームレンズのレンズ構成を示す図である。
【図１０】実施例３１のズームレンズの広角端における収差図である。
【図１１】実施例３ズームレンズの中間焦点距離における収差図である。
【図１２】実施例３のズームレンズの望遠端における収差図である。
【図１３】実施例４のズームレンズのレンズ構成を示す図である。
【図１４】実施例４のズームレンズの広角端における収差図である。
【図１５】実施例４のズームレンズの中間焦点距離における収差図である。
【図１６】実施例４のズームレンズの望遠端における収差図である。
【図１７】撮影機能を有する情報装置の実施の１形態を説明するための図である。
【図１８】図１７の情報装置のシステム構成を説明するための図である。
【発明を実施するための形態】
【００４８】
以下、実施の形態を説明する。
【００４９】
図１、図５、図９、図１３にズームレンズの実施の形態を示す。繁雑を避けるため、これらの図において符号を共通化する。  
これらの図に示すズームレンズは、図の上記順序に従って、後述する実施例１〜４に対応するものである。
【００５０】
上記各図は、ズームレンズのレンズ及び群構成と、変倍に伴う各レンズ群の移動の様子を示している。各図の上段は「広角端のレンズ群配置」、中段は「中間焦点距離におけるレンズ群配置」、下段は「望遠端におけるレンズ群配置」であり、矢印は「各レンズ群の変倍に伴う移動の様子」を示している。
【００５１】
上記各図に示されたズームレンズは、物体側（図の左方）より像側（図の右方）へ向かって順に、正の屈折力の第1レンズ群Ｇ１、負の屈折力の第２レンズ群Ｇ２、正の屈折力の第３レンズ群Ｇ３、正の屈折力の第４レンズ群Ｇ４を配し、第２レンズ群Ｇ２と第３レンズ群Ｇ３との間に開口絞りＳを配してなり、各レンズ群が独立に移動してズーミングを行う。
【００５２】
広角端から望遠端への変倍に際して、第１レンズ群Ｇ１と第３レンズ群Ｇ３とは、光軸上を単調に物体側へ移動する。
【００５３】
従って、望遠端における第１レンズ群Ｇ１と第３レンズ群Ｇ３の位置（図の最下段）は、広角端（図の最上段）におけるよりも物体側に定められている。
【００５４】
これに対して、第２レンズ群は、広角端から望遠端への変倍に際して「単調に像側へ移動」し、第４レンズ群Ｇ４は、広角端からの変倍の当初は物体側へ移動し、中間焦点距離を過ぎてから、像側へ回帰するように移動する。
【００５５】
また、開口絞りＳも図示のように、レンズ群とは独立に変位するが、その変位は広角端から望遠端への変倍に際して「単調な物体側への移動」である。
【００５６】
第１レンズ群Ｇ１は物体側より順に、物体側に凸の負メニスカスレンズ、物体側に凸面を持つ正レンズから成り、第２レンズ群Ｇ２は物体側より順に、物体側面よりも像側面の屈折力が大きい両凹の負レンズ、像側に凹面を有する負レンズ、物体側に凸面を有する正レンズからなる。
【００５７】
第３レンズ群Ｇ３は、物体側から順に、正レンズ、正レンズ、負レンズの３枚で構成されるが、像側の正レンズと負レンズは接合レンズである。  
この接合レンズの接合面は「物体側に凹」である。
【００５８】
第４レンズ群Ｇ４は、単一の正レンズである。
【００５９】
後述する具体的な実施例に示すように、これら図１、図５、図９、図１３のズームレンズは、条件（１）〜（５）を満足する。
【００６０】
なお、図１、図５、図９、図１３における符号「Ｆ」は、第４レンズ群Ｇ４の像面側に配設される「各種フィルタ（光学ローパスフィルタ・赤外カットフィルタ等）」や、ＣＣＤセンサ等の撮像素子の「カバーガラス（シールガラス）」をこれらに等価な１枚の透明平行平板として示したものである。
【００６１】
図１７は、この発明の「撮影機能を有する情報装置」の実施の１形態を説明するための図である。  
図１７（Ａ）は、装置の正面側と上部面とを示す図、図１７（Ｂ）は装置の背面側を示す図である。符号１は撮影レンズを示す。撮影レンズ１はズームレンズである。符号２はファインダ、符号３はストロボ、符号４はシャッタボタン、符号６は電源スイッチ、符号７は液晶モニタをそれぞれ示す。  
図１８は、情報装置のシステム構成を示す図である。  
図１８に示す情報装置は、「ズームレンズ」である撮影レンズ１と、「撮像素子」である受光素子１３を有し、撮影レンズ１によって形成される撮影対象物の像を受光素子１３によって読取るように構成され、受光素子１３からの出力を中央演算装置１１の制御を受ける信号処理装置１４によって処理してデジタル情報に変換する。
【００６２】
デジタル情報に変換された画像は、液晶モニタ７に表示され、半導体メモリ１５に記憶され、あるいは通信カード１６により外部への通信に供される。
【実施例】
【００６３】
以下、ズームレンズの具体的な実施例を挙げる。  
各実施例における記号の意味は以下の通りである。  
ｆ：全系の焦点距離  
Fno：Fナンバ  
R：曲率半径  
D：面間隔  
Nd：d線における屈折率  
νd：アッベ数  
K：非球面の円錐定数  
A4：4次の非球面係数  
A6：6次の非球面係数  
A8：8次の非球面係数  
A10：10次の非球面係数  
A12：12次の非球面係数  
A14：14次の非球面係数                                  。
【００６４】
非球面は、光軸方向のデプスを「X」、近軸曲率半径の逆数（近軸曲率）を「C」、光軸からの高さを「H」、上記円錐定数、非球面係数を用いて、周知の式：
X = CH2/{1+√(1-(1+K)C2H2)}  
+A4・H4 +A6・H6+A8・H8 +A10・H10 +A12・H12+A14・H14+A16・H16+A18・H18
で表される。硝種は、株式会社オハラ、および株式会社住田光学ガラスの光学硝種名である。長さの次元を持つ量の単位は、特に断らない限り「ｍｍ」である。
【００６５】
「実施例１」
実施例１は、図１に示したズームレンズの具体的な実施例である。
【００６６】
焦点距離    広角端：５．０４      望遠端：５１．９９  
半画角      広角端：３９．３８    望遠端：４．２５    
Ｆｎｏ．    広角端：３．６７      望遠端：５．７９
実施例１のデータを以下に示す。
面番号        R           D        Nd       νd         硝種名
1            29.37       0.95    1.92286    18.9        S-NPH2  
2            21.552      0.1   
3*           16.077      3.95    1.58913    61.15       L-BAL35  
4*         -119.235      可変（A）   
5*          -52.668      0.8     1.864      40.58       L-LAH83  
6*            6.173      2.4    
7             ∞         0.8     1.72       46.02       S-LAM61  
8            11.508      0.79  
9            11.756      2.03    1.80809    22.76       S-NPH1  
10         -187.599      可変（B）   
11            絞り       可変（C）   
12*           4.717      4.44    1.497      81.5        K-PFK80  
13*         -36.8090.11  
14            8.194      2.45    1.6223     53.17       S-BSM22  
15           -3.5        0.8     1.834      37.16       S-LAH60  
16            5.509      可変（D）   
17*          25.213      2.26    1.51633    64.06       L-BSL7  
18          -13.357      1     
19            ∞         0.28    1.5377     66.6        フィルタ
20            ∞         0.5     1.5        64          フィルタ      。
【００６７】
なお、上記において「＊印」を付した面番号のレンズ面が非球面である。他の実施例においても同様である。
【００６８】
「可変量」  
実施例１における可変量のデータを以下に挙げる。
【００６９】
広角端     中間焦点     望遠端
可変（A）     0.5035      9.5547      18.4545 
可変（B）    16.1166      8.3662       0.8595 
可変（C）     5.5311      0.95         0.8905 
可変（D）     3.4181      8.5438      12.607                    。
【００７０】
「非球面」
実施例１の非球面のデータを以下に挙げる。
【００７１】
K          A4              A6            A8            A10    
第3面    -0.22318    -6.02869E-06    -6.35411E-08    8.92694E-10   -1.41736E-11
第4面     0           4.74802E-06    -9.56913E-09   -1.36638E-10    1.64069E-13
第5面     0           1.38189E-05     4.89240E-06   -1.24277E-07    5.86544E-10
第6面    -0.68781     0               6.57098E-07    1.11012E-06   -4.68597E-08
第12面    0.03139    -1.98053E-04     4.40551E-06   -5.84010E-07    5.69118E-08
第13面  -20.89232     1.08768E-03     4.50485E-05   -1.25614E-06    3.57716E-07
第17面    0.62834    -6.35239E-05     1.60147E-05   -1.05906E-06    3.74275E-08
A12           A14
第3面      8.72492E-14   -1.07231E-16
第4面      1.21670E-14    0      
第5面      1.60870E-11   -1.84141E-13     
第6面      4.25430E-10    4.40887E-12    
第12面    -7.81240E-10    0     
第13面    -2.91641E-11    0     
第17面    -5.48963E-10    7.06060E-14
上記の非球面係数の標記において、例えば「-5.48963E-10」は「-5.48963×10−10」を意味する。以下の各実施例においても同様である。」
「条件式のパラメータの値」
条件式のパラメータの値を以下に挙げる。
【００７２】
条件式 計算結果    
（1）    0.45    
（2）    6.62    
（3）    0.0261    
（4）    1.81      
（5）    10.31    
「実施例２」
実施例２は、図５に示したズームレンズの具体的な実施例である。
【００７３】
焦点距離    広角端：５．０５      望遠端：５１．９５  
半画角      広角端：３９．３８    望遠端：４．２５    
Ｆｎｏ．    広角端：３．６８      望遠端：５．７９    
実施例２のデータを以下に示す。
面番号      R         D           Nd         νd       硝種名
1         29.289     0.95       1.92286      18.9      S-NPH2  
2         21.502     0.1   
3*        16.003     3.95       1.58913      61.15     L-BAL35  
4*      -123.048     可変（A）   
5*       -56.683     0.8        1.864        40.58     L-LAH83  
6*         6.173     2.42   
7          ∞        0.8        1.7331       48.89     L-LAM72  
8         11.956     0.82   
9         11.987     1.98       1.80809      22.76     S-NPH1  
10      -251.412     可変（B）   
11         絞り      可変（C）  
12*        4.714     4.43       1.497        81.5      K-PFK80  
13*      -37.102     0.1    
14         8.178     2.45       1.6223       53.17     S-BSM22   
15        -3.487     0.8        1.834        37.16     S-LAH60  
16         5.547     可変（D）   
17*       26.925     2.28       1.51633      64.06     L-BSL7   
18       -12.702     1      
19         ∞        0.28       1.5377       66.6      フィルタ
20         ∞        0.5        1.5          64        フィルタ            。
【００７４】
「可変量」
実施例２における可変量のデータを以下に挙げる。
【００７５】
広角端      中間焦点      望遠端
可変（A）     0.5         9.5545        18.440 
可変（B）    16.0177      8.3328         0.8004 
可変（C）     5.3762      0.95           0.9496 
可変（D）     3.4156      8.6822        12.6154                        。
【００７６】
「非球面」
実施例２の非球面のデータを以下に挙げる。
K         A4            A6             A8             A10   
第3面    -0.22167   -5.90530E-06   -6.46727E-08    8.93729E-10    -1.40797E-11
第4面     0          4.85871E-06   -9.30655E-09   -1.34840E-10     3.09988E-13
第5面     0          1.32968E-05    4.71545E-06   -1.24885E-07     6.15346E-10
第6面    -0.65707    0             -8.68916E-09    1.10389E-06    -4.70424E-08
第12面   0.03132    -1.97751E-04    5.10296E-06   -5.70008E-07     5.49994E-08
第13面  -18.1434    1.08465E-03    4.80974E-05   -1.41912E-06      3.46338E-07
第17面   -2.23963  -8.00366E-05    1.66391E-05   -1.06996E-06      3.72144E-08
A12           A14
第3面    8.87033E-14   -8.66730E-17
第4面    1.45501E-14    0    
第5面    1.62349E-11   -1.85528E-13   
第6面    4.31029E-10    4.30512E-12       
第12面  -7.81240E-10    0     
第13面  -2.91641E-11    0    
第17面  -5.36891E-10    7.06060E-14                                          。
【００７７】
「条件式のパラメータの値」
条件式のパラメータの値を以下に挙げる。
条件式      計算結果
（1）        0.45  
（2）        6.61    
（3）        0.0261    
（4）        1.81      
（5）       10.29                                                   。
【００７８】
「実施例３」
実施例３は、図９に示したズームレンズの具体的な実施例である。
【００７９】
焦点距離    広角端：５．０５      望遠端：５１．９７  
半画角      広角端：３９．３８    望遠端：４．２７    
Ｆｎｏ．    広角端：３．６７      望遠端：５．７９    
実施例３のデータを以下に示す。
面番号          R        D        Nd         νd         硝種名
1            40.056     0.95     1.92286     18.9        S-NPH2 
2            26.967     0.1      
3*           16.685     3.95     1.58913     61.15       L-BAL35   
4*          -90.74      可変（A）     
5*          -54.859     0.8      1.864       40.58       L-LAH83  
6*            6.173     2.31   
7             ∞        0.8      1.7331      48.89       L-LAM72   
8            11.615     0.82      
9            11.785     1.98     1.80809     22.76       S-NPH1   
10         -208.09      可変（B）      
11           絞り       可変（C）    
12*           4.67      4.44     1.497       81.5        K-PFK80  
13*         -36.234     0.1      
14            8.341     2.45     1.6223      53.17       S-BSM22  
15           -3.417     0.8      1.834       37.16       S-LAH60  
16            5.558      可変（D）      
17*          22.448     2.34     1.51633     64.06       L-BSL7  
18          -13.83      1  
19            ∞        0.28     1.5377      66.6       フィルタ
20            ∞        0.5      1.5         64         フィルタ      。
【００８０】
「可変量」
実施例３における可変量のデータを以下に示す。
【００８１】
広角端      中間焦点      望遠端   
可変（A）     0.5          9.6019     18.5072  
可変（B）    15.665        8.0743      0.8  
可変（C）     5.574        0.95        0.95  
可変（D）     3.4089       8.326      12.5939
「非球面」
実施例３の非球面のデータを以下に挙げる。
【００８２】
K            A4            A6              A8            A10
第3面    -0.22864     -6.59143E-06   -5.89327E-08     9.80393E-10   -1.44226E-11
第4面     0            8.39710E-06   -1.96921E-09    -1.74055E-10   -1.83097E-13
第5面     0            4.30032E-05    3.87787E-06    -1.24416E-07    8.68854E-10
第6面    -0.62842      0              3.65072E-06     7.88551E-07   -3.92675E-08
第12面    0.01946     -2.09000E-04    7.24368E-06    -8.97536E-07    6.62496E-08
第13面   -25.29385     1.10597E-03    4.04691E-05    -4.68999E-07    2.60289E-07
第17面    2.74822     -5.55768E-05    1.46355E-05    -1.00375E-06    3.68836E-08
A12                    A14
第3面     8.23918E-14            -7.93229E-17     
第4面     1.38088E-14             0          
第5面     1.57198E-11            -2.32699E-13        
第6面     4.62309E-10             8.57255E-13      
第12面   -7.81239E-10             0      
第13面   -2.91632E-11             0      
第17面   -5.58874E-10             7.06167E-14                                。
【００８３】
「条件式のパラメータの値」
条件式のパラメータの値を以下に挙げる。
条件式        計算結果
（1）          0.46  
（2）          6.56  
（3）          0.0261  
（4）          1.81  
（5）          10.30  
「実施例４」
実施例４は、図１３に示したズームレンズの具体的な実施例である。
【００８４】
焦点距離    広角端：５．０５      望遠端：５２．０１  
半画角      広角端：３９．３８    望遠端：４．２６    
Ｆｎｏ．    広角端：３．６７      望遠端：５．７９  
実施例４のデータを以下に示す。
【００８５】
面番号          R          D        Nd        νd          硝種名
1             63.133      0.95    1.92286     18.9         S-NPH2  
2             37.761      0.1    
3*            18.124      3.95    1.58913     61.15        L-BAL35  
4*           -88.62      可変（A）   
5*           -82.841      0.8     1.864       40.58        L-LAH83  
6*             6.173      2.53      
7              ∞         0.8     1.7331      48.89        L-LAM72  
8             12.171      0.61   
9             11.334      2.01    1.80809     22.76        S-NPH1 
10          -689.212     可変（B）  
11            絞り       可変（C）    
12*           4.441       4.25    1.497        81.5        K-PFK80  
13*         -92.387       0.1       
14            7.704       2.42    1.6223       53.17       S-BSM22  
15           -3.212       0.8     1.834        37.16       S-LAH60  
16            5.465       可変（D）  
17*          24.219       2.33    1.51633      64.06       L-BSL7  
18          -14.042       1  
19            ∞          0.28    1.5377       66.6       フィルタ 
20            ∞          0.5     1.5          64         フィルタ      。
【００８６】
「可変量」
実施例４における可変量のデータを以下に挙げる。  
広角端      中間焦点        望遠端
可変（A）     0.5        8.4112         19.4502  
可変（B）    16.5072     7.7342          0.8303  
可変（C）     5.0668     0.95            0.9197  
可変（D）     3.381      9.8796         13.3048                      。
「非球面」
実施例４の非球面のデータを以下に挙げる。
【００８７】
K           A4            A6             A8             A10
第3面     -0.21365    -6.11068E-06   -5.33907E-08     1.10490E-09   -1.66325E-11
第4面      0           8.18554E-06    1.31400E-08    -3.13919E-10   -2.24157E-12
第5面      0           8.18113E-05    1.55717E-06    -8.66465E-08    6.18775E-10
第6面     -0.38023     0              2.86067E-06     4.59239E-07   -2.83993E-08
第12面    -0.00336    -1.49472E-04    1.86823E-05    -2.34903E-06    1.91551E-07
第13面  -343.4611      1.37315E-03    6.97608E-05    -2.79653E-06    8.06764E-07
第17面    -2.73383    -8.26919E-05    2.77844E-05    -1.87611E-06    5.59135E-08
A12                A14
第3面      6.06793E-14         5.07107E-17      
第4面      3.52013E-15         1.33810E-16      
第5面      1.49390E-11        -2.00535E-13     
第6面      2.57871E-10         3.77490E-12    
第12面    -2.77789E-090       
第13面    -9.61773E-090       
第17面    -2.00526E-10        -1.45775E-11                                    。
【００８８】
「条件式のパラメータの値」
条件式のパラメータの値を以下に挙げる。
条件式      計算結果
（1）        0.41  
（2）        7.01  
（3）        0.0261  
（4）        1.81  
（5）        10.30                                                      。
【００８９】
図２、図３、図４に順次、実施例１のズームレンズの広角端、中間焦点距離、望遠端における収差図を示す。
【００９０】
図６、図７、図８に順次、実施例２のズームレンズの広角端、中間焦点距離、望遠端における収差図を示す。
【００９１】
図１０、図１１、図１２に順次、実施例３のズームレンズの広角端、中間焦点距離、望遠端における収差図を示す。
【００９２】
図１４、図１５、図１６に順次、実施例４のズームレンズの広角端、中間焦点距離、望遠端における収差図を示す。
【００９３】
これらの収差図から明らかなように、各実施例とも、広角端の半画角：３９度以上、１０倍を超える変倍比、少なくとも８００万画素を超える撮像素子に対応可能な解像力を有し、発明の課題とするところを達成している。
【符号の説明】
【００９４】
Ｇ１        第１レンズ群  
Ｇ２        第２レンズ群  
Ｇ３        第３レンズ群  
Ｇ４        第４レンズ群  
Ｓ          開口絞り  
【先行技術文献】
【特許文献】
【００９５】
【特許文献１】特開２００８−１０７５５９
【特許文献２】特開２００８−１１２０１３
【特許文献３】特開２００８−１８５７８２
【特許文献４】特開２００８−２０３４５３
【特許文献５】特開２００８−１４５５０１
【図１】
0005445097.tif 000002
【図２】
0005445097.tif 000003
【図３】
0005445097.tif 000004
【図４】
0005445097.tif 000005
【図５】
0005445097.tif 000006
【図６】
0005445097.tif 000007
【図７】
0005445097.tif 000008
【図８】
0005445097.tif 000009
【図９】
0005445097.tif 000010
【図１０】
0005445097.tif 000011
【図１１】
0005445097.tif 000012
【図１２】
0005445097.tif 000013
【図１３】
0005445097.tif 000014
【図１４】
0005445097.tif 000015
【図１５】
0005445097.tif 000016
【図１６】
0005445097.tif 000017
【図１７】
0005445097.tif 000018
【図１８】
0005445097.tif 000019